(57)【要約】【課題】側板に取付けられるステーを必要とせず安定した状態で取付けることができ、しかも外観体裁が良好なギターのピックガード取付構造を提供する。【解決手段】ピックガード６を表板２の表面に形成されている開口部５に、固定手段２０によって直接固定する。固定手段２０は、スペーサ２１と嵌め込みナット２２および締結手段としての固定ねじ２３とで構成されている。固定ねじ２３は、ピックガード６のねじ取付孔２４およびスペーサ２１の貫通孔２５に挿通され、嵌め込みナット２２のねじ孔２６にねじ込まれることにより、ピックガード６、スペーサ２１および嵌め込みナット２２を表板２に対して共締め固定する。【選択図】  図１
2005241783.tif 000002
【特許請求の範囲】
【請求項１】
内部が中空の胴本体の表板上に取付けられるギターのピックガード取付構造において、
前記表板に設けた開口部にピックガードを固定手段によって固定したことを特徴とするギターのピックガード取付構造。
【請求項２】
前記固定手段が、前記表板を胴本体の外側と内側から挟持するスペーサおよび嵌め込みナットと、前記嵌め込みナットとともに前記ピックガード、前記スペーサおよび前記表板を共締め固定する締結手段とを備えたことを特徴とする請求項１記載のギターのピックガード取付構造。
【発明の詳細な説明】
【技術分野】
【０００１】
本発明は、胴本体が中空構造をなすアコースティック型のギターに関し、特に胴本体の表板上に取付けられるピックガードの取付構造に関するものである。
【背景技術】
【０００２】
フォーク用ギターや電気ギターに用いられるピックガードは、演奏時に表板を指の爪やピックから保護するためのもので、表板のサウンドホールの周辺に取付けられている（例えば、特許文献１参照）。なお、出願人は本明細書に記載した先行技術文献情報で特定される先行技術文献以外には、本発明に密接に関連する先行技術文献を出願時までに見つけ出すことはできなかった。
【特許文献１】特開２０００−１２２６３９号公報
【０００３】
図２は従来の電気ギターにおけるピックガードの取付構造を示す正面図、図３は同取付構造の断面図である。これらの図において、１は内部が中空の胴本体で、表板２、裏板３および側板４等で構成されている。５は「ｆ」字型のサウンドホール（開口部）、６はピックガードでステー７に固定ねじ８によって固定されている。ステー７はＬ字型に形成され、脚部７ａが前記側板４に固定ねじ９によって固定されている。なお、１０はネック本体、１１は弦、１２はピックアップ装置、１３はテールピース、１４はブリッジ、１５は音色、音量等を調節する摘みである。
【発明の開示】
【発明が解決しようとする課題】
【０００４】
上記したように、従来はステー７を介してピックガード６を表板２の上方に取付けていた。しかしながら、ステー７を用いると、ステー７の脚部７ａからピックガード６の先端までのアーム長さが長い片持支持構造となるため、ピックガード６に手を強く当てるとピックガード６が脚部７ａを支点として上下に動き易く、演奏性を低下させるという問題があった。
また、ステー７はピックガード６から露出して側板４の表面にまで延在しているため、胴本体１の外観を損なうという問題もあった。
【０００５】
本発明は上記した従来の問題を解決するためになされたもので、その目的とするところは、側板に取付けられるステーを必要とせず安定した状態で取付けることができ、しかも外観体裁が良好なギターのピックガード取付構造を提供することにある。
【課題を解決するための手段】
【０００６】
上記目的を達成するために本発明は、内部が中空の胴本体の表板上に取付けられるギターのピックガード取付構造において、前記表板に設けた開口部にピックガードを固定手段によって固定したものである。
【０００７】
また、本発明は、前記固定手段が、前記表板を胴本体の外側と内側から挟持するスペーサおよび嵌め込みナットと、前記嵌め込みナットとともに前記ピックガード、前記スペーサおよび前記表板を共締め固定する締結手段とを備えたものである。
【発明の効果】
【０００８】
本発明においては、ピックガードを表板の開口部に固定手段よって直接取付けているので、側板に取付けられるステーを必要とせず、固定手段からピックガードの先端までのアーム長さが短い片持支持構造とすることができる。したがって、ピックガードの上下方向の動きを少なくすることができる。また、ステーを用いていないため外観体裁も良好である。
また、本発明においては、スペーサと嵌め込みナットによって表板をその表裏面側から挟持し、締結手段を嵌め込みナットに螺合することにより、ピックガード、スペーサおよび嵌め込みナットを表板に対して共締めし固定しているので、ピックガードを表板に安定した状態で固定することができる。
【発明を実施するための最良の形態】
【０００９】
以下、本発明を図面に示す実施の形態に基づいて詳細に説明する。
図１は本発明に係るギターのピックガード取付構造の一実施の形態を示す断面図である。なお、図中従来技術で示した構成部材と同一のものについては、同一符号をもって示し、その説明を適宜省略する。本発明は、ピックガード６を表板２の表面に形成されているサウンドホール（開口部）５に、固定手段２０によって直接固定するようにしたものである。固定手段２０は、スペーサ２１と、嵌め込みナット２２と、締結手段としての固定ねじ２３とで構成されている。
【００１０】
前記ピックガード６の表板２に固定される部分には、前記固定ねじ２３が挿通されるねじ取付孔２４が形成されている。ねじ取付孔２４の数は任意である。スペーサ２１と嵌め込みナット２２は、表板２を挟んで表面側と裏面側に位置している。
【００１１】
前記表面側のスペーサ２１は筒状で、前記固定ねじ２３が貫通する貫通孔２５を有し、開口部５の幅より大きな幅（または直径）を有している。
【００１２】
前記裏面側に位置する嵌め込みナット２２は、前記開口部５に表板２の内側から嵌合される本体部２２Ａと、この本体部２２Ａの下端に一体に突設された鍔部２２Ｂとで構成され、中心に前記固定ねじ２３がねじ込まれるねじ孔２６が設けられている。鍔部２２Ｂは、前記開口部５の周縁裏面側に当接することにより、嵌め込みナット２２が開口部５から上方へ抜けるのを規制している。このような嵌め込みナット２２は、開口部５の幅が広い部分から胴本体１内に挿入され、本体部２２Ａを開口部５の幅の狭い部分に移動させることにより嵌合される。
【００１３】
前記固定ねじ２３は、前記ピックガード６のねじ取付孔２４、表板２の表面側に位置ずけられている前記スペーサ２１の貫通孔２５に挿通され、表板２の裏面側から開口部５に嵌合された嵌め込みナット２２のねじ孔２６にねじ込まれることにより、ピックガード６、スペーサ２１および嵌め込みナット２２を表板２に対して共締めし、表面側のスペーサ２１と裏面側の嵌め込みナット２２とが表板２を挟持し固定される。
【００１４】
このように本発明によるピックガード取付構造は、ピックガード６を表板２の表面に固定手段２０によって直接固定するように構成したので、側板４にまで延在するＬ字型のステー７（図３参照）を必要とせず、ピックガード６の固定部から先端までのアーム長さが短い片持支持構造とすることができる。したがって、ピックガード６を表板２に対して安定した状態で固定でき、手や指をピックガード６に当てて演奏するとき、ピックガード６が上下に動き難く、安定した状態で演奏することができる。
【００１５】
また、スペーサ２１は、ピックガード６によって覆われているので目視されることがなくギターの外観を損なうこともない。
【００１６】
なお、上記した実施の形態は、固定手段２０をスペーサ２１と嵌め込みナット２２および固定ねじ２３とで構成した例について示したが、本発明はこれに何ら限定されるものではなく、種々の固定手段を用いることが可能である。また、例えば表面側のスペーサ２１をピックガード６の裏面側に一体に突設したり、ピックガード６の表面側に固定ねじ２３の頭部を覆うカバーまたはシールを取付けるなど、種々の変更、変形が可能である。
【図面の簡単な説明】
【００１７】
【図１】本発明に係るギターのピックガード取付構造の一実施の形態を示す断面図である。
【図２】従来の電気ギターにおけるピックガードの取付構造を示す正面図である。
【図３】同取付構造の断面図である。
【符号の説明】
【００１８】
１…胴本体、２…表板、３…裏板、４…側板、５…サウンドホール（開口部）、６…ピックガード、７…ステー、２０…固定手段、２１…スペーサ、２２…嵌め込みナット、２３…固定ねじ。
【図１】
2005241783.tif 000003
【図２】
2005241783.tif 000004
【図３】
2005241783.tif 000005